(57)【要約】【課題】  利用の容易な電話帳を簡単に準備でき、容易に宛先電話番号を選択できる携帯情報端末システムを提供する。【解決手段】  管理サーバ１０５の個人情報記憶部２２１は、部署単位の電話番号を含む個人情報を記憶している。通信履歴記憶部２２２は、各携帯情報端末１０１等ごとの通信履歴情報を記憶している。携帯情報端末１０１から電話帳の送信要求を受けると、当該端末１０１の通信履歴情報から通信履歴の多い部署の個人情報を当該端末１０１に電話帳として送信する。携帯情報端末１０１の電話帳記憶部２１２はこれを記憶し、所有者の電話帳表示の操作指示により、表示制御部２１３は、電話帳をＬＣＤ２１４に表示する。所有者は、宛先電話番号を表示された電話帳から選択する。【選択図】        図２
2006254171.tif 000002
【特許請求の範囲】
【請求項１】
複数の携帯情報端末とその通信に供する識別符号等を管理する管理サーバとからなる携帯情報端末システムであって、
管理サーバは、
各携帯情報端末に割当てられた識別符号を含む固有情報を記憶する固有情報記憶手段と、
各携帯情報端末の通信履歴を各携帯情報端末ごとに記憶する通信履歴記憶手段と、
各携帯情報端末から固有情報の送信要求を受けると、前記通信履歴を参照して、選択した所定の固有情報を前記携帯情報端末へ送信する送信手段とを備え、
携帯情報端末は、
前記管理サーバに固有情報の送信を要求する要求手段と、
当該要求に対して前記管理サーバから送られる固有情報を記憶する端末固有情報記憶手段とを備えることを特徴とする携帯情報端末システム。
【請求項２】
携帯情報端末間の通信を中継する管理サーバであって、
各携帯情報端末に割当てられた識別符号を含む固有情報を記憶する固有情報記憶手段と、
各携帯情報端末の通信履歴を各携帯情報端末ごとに記憶する通信履歴記憶手段と、
各携帯情報端末から固有情報の送信要求を受けると、前記通信履歴を参照して、選択した所定の固有情報を前記携帯情報端末へ送信する送信手段とを備えることを特徴とする管理サーバ。
【請求項３】
各携帯情報端末に割当てられた識別符号を含む固有情報を記憶する固有情報記憶部と、各携帯情報端末の通信履歴を各携帯情報端末ごとに記憶する通信履歴記憶部と、各携帯情報端末から固有情報の送信要求を受けると、前記通信履歴を参照して、選択した所定の固有情報を前記携帯情報端末へ送信する送信部とを有する管理サーバに基地局を介して接続する携帯情報端末であって、
前記管理サーバに固有情報の送信を要求する要求手段と、
当該要求に対して前記管理サーバから送られる固有情報を記憶する端末固有情報記憶手段とを備えることを特徴とする携帯情報端末。
【請求項４】
前記端末固有情報記憶手段に記憶される固有情報には、前記要求手段が要求した時点に応じて過去の通信履歴が多い固有情報が優先的に選択されていることを特徴とする請求項３記載の携帯情報端末。
【請求項５】
位置情報を取得する位置情報取得手段を更に備え、
前記要求手段は、
前記管理サーバへの固有情報の要求時に自身の位置情報を送信する位置情報送信部を有し、
前記端末固有情報記憶手段に記憶される固有情報には、前記位置情報が構内の位置を示すとき、固有情報に含まれる識別符号は内線番号を含み、前記位置情報が構外の位置を示すとき、個人情報に含まれる識別符号は公衆での電話番号を含むことを特徴とする請求項３記載の携帯情報端末。
【請求項６】
前記端末固有情報記憶手段に記憶される固有情報には、固有情報にメールアドレスを含むことを特徴とする請求項３記載の携帯情報端末。
【請求項７】
通信履歴を記録する通信履歴記録手段と、
前記通信履歴のうち、ビジネス以外の通信履歴をユーザの指示により削除する削除手段と、
前記管理サーバに随時に又は定期的に通信履歴を送信する送信手段とを更に備えることを特徴とする請求項３記載の携帯情報端末。
【請求項８】
構内間での通信は、前記管理サーバを経由する内線番号での通信を行う内線通信手段と、
構外での通信は、一般の携帯電話基地局を経由する公衆での電話番号での通信を行う外線通信手段とを更に備えることを特徴とする請求項３記載の携帯情報端末。
【請求項９】
前記端末固有情報記憶手段に記憶した固有情報を表示する表示手段を更に備えることを特徴とする請求項３記載の携帯情報端末。
【請求項１０】
各携帯情報端末に割当てられた識別符号を含む固有情報を記憶する固有情報記憶部と、各携帯情報端末の通信履歴を各携帯情報端末ごとに記憶する通信履歴記憶部と、各携帯情報端末から固有情報の送信要求を受けると、前記通信履歴を参照して、選択した所定の固有情報を前記携帯情報端末へ送信する送信部とを有する管理サーバに基地局を介して接続する携帯情報端末の制御方法であって、
前記管理サーバに固有情報の送信を要求する要求ステップと、
当該要求に対して前記管理サーバから送られる固有情報を記録する端末固有情報記録ステップとを有することを特徴とする携帯情報端末の制御方法。
【請求項１１】
各携帯情報端末に割当てられた識別符号を含む固有情報を記憶する固有情報記憶部と、各携帯情報端末の通信履歴を各携帯情報端末ごとに記憶する通信履歴記憶部と、各携帯情報端末から固有情報の送信要求を受けると、前記通信履歴を参照して、選択した所定の固有情報を前記携帯情報端末へ送信する送信部とを有する管理サーバに基地局を介して接続する携帯情報端末に、
前記管理サーバに固有情報の送信を要求する要求ステップと、
当該要求に対して前記管理サーバから送られる固有情報を記録する端末固有情報記禄ステップとを実行させるためのプログラム。
【発明の詳細な説明】
【技術分野】
【０００１】
本発明は、各企業において、ビジネスに用いられる携帯情報端末システムに関し、特に構内の通信は無線ＬＡＮで、公衆網への通信は携帯電話の通信網を用いる携帯情報端末システムに関する。
【背景技術】
【０００２】
携帯情報端末、例えば携帯電話機で宛先に電話をかける場合には、予め電話帳に登録された宛先電話番号を選択して通話をするのが通常である。
しかし、ビジネスにおいて利用される宛先電話番号は多数であり、その電話帳への登録も煩雑な作業となり、また電話帳から宛先電話番号の選択も煩雑となる。
一方、企業では、人事情報を管理する管理サーバを備えるのが一般的となっている。例えば、特許文献１がある。この人事情報には、個人情報に電話番号も登録されている。そのまま電話帳とするのは、個人情報が多数過ぎて、かえって不便となる。
【０００３】
また、携帯電話を構内では、構内基地局を介した無線ＬＡＮ等で接続し、構外では、事業者基地局と接続するシステムも登場している。
【特許文献１】特開２００３−３０３８５号公報
【発明の開示】
【発明が解決しようとする課題】
【０００４】
そこで、本発明は、利用の容易な電話帳を簡単に準備でき、容易に宛先電話番号を選択できる携帯情報端末システムを提供することを目的とする。
【課題を解決するための手段】
【０００５】
上記目的を達成するため、本発明は、複数の携帯情報端末とその通信に供する識別符号等を管理する管理サーバとからなる携帯情報端末システムであって、  管理サーバは、各携帯情報端末に割当てられた識別符号を含む固有情報を記憶する固有情報記憶手段と、各携帯情報端末の通信履歴を各携帯情報端末ごとに記憶する通信履歴記憶手段と、各携帯情報端末から固有情報の送信要求を受けると、前記通信履歴を参照して、選択した所定の固有情報を前記携帯情報端末へ送信する送信手段とを備え、携帯情報端末は、前記管理サーバに固有情報の送信を要求する要求手段と、当該要求に対して前記管理サーバから送られる固有情報を記憶する端末固有情報記憶手段とを備えることとしている。
【０００６】
また、本発明は、携帯情報端末間の通信を中継する管理サーバであって、各携帯情報端末に割当てられた識別符号を含む固有情報を記憶する固有情報記憶手段と、各携帯情報端末の通信履歴を各携帯情報端末ごとに記憶する通信履歴記憶手段と、各携帯情報端末から固有情報の送信要求を受けると、前記通信履歴を参照して、選択した所定の固有情報を前記携帯情報端末へ送信する送信手段とを備えることとしている。
【０００７】
このような構成によって、管理サーバに記憶されている固有情報を携帯情報端末が必要とする固有情報として有効に利用することができる。
また、本発明は、各携帯情報端末に割当てられた識別符号を含む固有情報を記憶する固有情報記憶部と、各携帯情報端末の通信履歴を各携帯情報端末ごとに記憶する通信履歴記憶部と、各携帯情報端末から固有情報の送信要求を受けると、前記通信履歴を参照して、選択した所定の固有情報を前記携帯情報端末へ送信する送信部とを有する管理サーバに基地局を介して接続する携帯情報端末であって、前記管理サーバに固有情報の送信を要求する要求手段と、当該要求に対して前記管理サーバから送られる固有情報を記憶する端末固有情報記憶手段とを備えることとしている。
【０００８】
このような構成によって、必要とする固有情報を容易に取得することができる。
また、前記端末固有情報記憶手段に記憶される固有情報には、前記要求手段が要求した時点に応じて過去の通信履歴が多い固有情報が優先的に選択されていることとしている。
このような構成によって、必要とする識別符号を確実に選ぶことが可能となる。
また、位置情報を取得する位置情報取得手段を更に備え、前記要求手段は、  前記管理サーバへの固有情報の要求時に自身の位置情報を送信する位置情報送信部を有し、前記端末固有情報記憶手段に記憶される固有情報には、前記位置情報が構内の位置を示すとき、固有情報に含まれる識別符号は内線番号を含み、前記位置情報が構外の位置を示すとき、個人情報に含まれる識別符号は公衆での電話番号を含むこととしている。
【０００９】
このような構成によって、携帯情報端末を所有する者が構内にいるときには、内線番号で通話ができ、構外にいるときには、公衆での電話番号で通話ができる。
また、前記端末固有情報記憶手段に記憶される固有情報には、固有情報にメールアドレスを含むこととしている。
このような構成によって、携帯情報端末でメールの送信を容易にすることができる。
【００１０】
また、通信履歴を記録する通信履歴記録手段と、前記通信履歴のうち、ビジネス以外の通信履歴をユーザの指示により削除する削除手段と、前記管理サーバに随時に又は定期的に通信履歴を送信する送信手段とを更に備えることとしている。
このような構成によって、不要な通信履歴を削除して、ビジネス専用の電話帳を得ることができる。
【００１１】
また、構内間での通信は、前記管理サーバを経由する内線番号での通信を行う内線通信手段と、構外での通信は、一般の携帯電話基地局を経由する公衆での電話番号での通信を行う外線通信手段とを更に備えることとしている。
このような構成によって、構内間の通信には、通信コストの安価な内線番号を利用することができる。
【００１２】
また、前記端末固有情報記憶手段に記憶した固有情報を表示する表示手段を更に備えることとしている。
このような構成によって、必要とする固有情報を表示手段に表示させ、容易に選ぶことができる。
また、本発明は、各携帯情報端末に割当てられた識別符号を含む固有情報を記憶する固有情報記憶部と、各携帯情報端末の通信履歴を各携帯情報端末ごとに記憶する通信履歴記憶部と、各携帯情報端末から固有情報の送信要求を受けると、前記通信履歴を参照して、選択した所定の固有情報を前記携帯情報端末へ送信する送信部とを有する管理サーバに基地局を介して接続する携帯情報端末の制御方法であって、前記管理サーバに固有情報の送信を要求する要求ステップと、  当該要求に対して前記管理サーバから送られる固有情報を記録する端末固有情報記録ステップとを有することとしている。
【００１３】
このような方法によって、必要な固有情報を容易に取得することができる。
また、本発明は、各携帯情報端末に割当てられた識別符号を含む固有情報を記憶する固有情報記憶部と、各携帯情報端末の通信履歴を各携帯情報端末ごとに記憶する通信履歴記憶部と、各携帯情報端末から固有情報の送信要求を受けると、前記通信履歴を参照して、選択した所定の固有情報を前記携帯情報端末へ送信する送信部とを有する管理サーバに基地局を介して接続する携帯情報端末に、  前記管理サーバに固有情報の送信を要求する要求ステップと、当該要求に対して前記管理サーバから送られる固有情報を記録する端末固有情報記禄ステップとを実行させることとしている。
【００１４】
このようなプログラムを携帯情報端末に適用することによって、必要な固有情報を容易に取得することができる携帯情報端末を得ることができる。
【発明の効果】
【００１５】
上述のような構成によって、管理サーバに記憶されている固有情報を選択することにより、携帯情報端末では、必要とする固有情報を容易に取得することができる。
【発明を実施するための最良の形態】
【００１６】
以下、本発明に係る携帯情報端末システムの一実施の形態について、図面を用いて説明する。
（一実施の形態）
図１は、本発明に係る携帯情報端末システムの一実施の形態の概略を示す図である。
この携帯情報端末システムは、携帯情報端末１０１と、携帯情報端末１０２と、それらの間の通信を中継する管理サーバ１０５が設けられた構内基地局１０６とを備え、また、構外で使用する際には、例えば携帯情報端末１０３と、携帯情報端末１０４との通信のように、事業者、プロバイダ１０７の設置する事業者基地局１０８を介しても行われる。
【００１７】
また、事業者、プロバイダ１０７と管理サーバ１０５とは、公衆回線網で接続されている。なお、複数の携帯情報端末１０１−１０４は、具体的には、携帯電話機で構成されるとして説明するが、情報処理が行える通信機能を有する携帯情報端末であれば、それ以外のものも含まれる。携帯情報端末１０１−１０４は、同一の構成であるので、以下携帯情報端末１０１について説明する。
【００１８】
図２は、本実施の形態の構成図である。
携帯情報端末１０１は、構内基地局１０６用のアンテナ２０１と、無線ＬＡＮ送受信部２０２と、内線履歴記憶部２０３と、事業者基地局１０８用のアンテナ２０４と、デュープレクサ２０５と、送信部２０６と、外線履歴記憶部２０７と、受信部２０８と、ＧＰＳ（全地球測位システム）用アンテナ２０９と、ＧＰＳ受信部２１０と、制御部２１１と、電話帳記憶部２１２と、表示制御部２１３と、ＬＣＤ２１４と、操作部２１５と、マイク２１６と、スピーカ２１７とを備えている。
【００１９】
管理サーバ１０５は、個人情報記憶部２２１と、通信履歴記憶部２２２と、受信部２２３と、選択部２２４と、送信部２２５とを備えており、受信部２２２３と送信部２２５とは、構内基地局１０６と接続されている。
図３は、携帯情報端末１０１の一例を示す外観図である。携帯情報端末１０１の上方筐体には、ＬＣＤ（液晶ディスプレイ）２１４とスピーカ２１７と事業者基地局用アンテナ２０４とが設けられている。アンテナ２０１とアンテナ２０９とは図示を省略している。携帯情報端末１０１の下方筐体には、操作部２１５とマイク２１６とが設けられており、操作部２１５には、内線ボタン３０１と外線ボタン３０２とが含まれている。
【００２０】
構内基地局用のアンテナ２０１は、構内基地局を経由して管理サーバ１０５、他の携帯情報端末１０２−１０４と送受信を行う。
無線ＬＡＮ送受信部２０２は、制御部２１１を介して通知される電話帳の要求をアンテナ２０１、構内基地局１０６を介して管理サーバに送信する。また、管理サーバ１０５から送信されてきた電話帳を制御部２１１に通知する。
【００２１】
無線ＬＡＮ送受信部２０２は、制御部２１１から通知される内線番号の通話内容を送信信号に変換して構内基地局１０６経由で他の携帯情報端末１０２−１０４に送信するとともに、内線履歴記憶部２０３にその送信履歴を記録する。
また、アンテナ２０１を介する他の携帯情報端末１０２−１０４からの受信信号を音声信号に変換して制御部２１１に通知するとともに、内線履歴記憶部２０３にその受信履歴を記録する。
【００２２】
内線履歴記憶部２０３は、ＲＡＭ等からなり、内線番号の送受信の履歴情報を記憶している。
図４は、内線履歴記憶部２０３に記憶されている送信履歴情報の一例を示す図である。
送信履歴情報４０１には、送信履歴の順番４０２と宛先の内線番号４０３と、送信の日時４０４と、送信をした場所の位置情報４０５との各項目について記載されている。
【００２３】
位置情報４０５については、「Ａ」で示しているけれども、構内を示す位置をまとめて「Ａ」で示しており、実際には、経緯度で示されている。なお、この位置情報４０５は、ＧＰＳ受信部２１０で受信された位置情報の通知を受けた制御部２１１によって、送信履歴情報４０１に記禄される。
図５は、内線履歴記憶部２０３に記憶されている受信履歴情報の一例を示す図である。
【００２４】
受信履歴情報５０１には、内線番号での受信履歴が記載されている。受信履歴情報５０１には、受信した順番５０２と、内線番号５０３と、受信した日時５０４との各項目について記載されている。
アンテナ２０４は、外線番号の送受信、即ち公衆の電話番号による事業者基地局を介しての送信及び受信を行う。
【００２５】
デュープレクサ２０５は、送受信の切換えを行い、アンテナ２０４で受信された信号を受信部２０８に出力し、送信部２０６から通知された送信信号をアンテナ２０４に出力する。
送信部２０６は、制御部２１１から通知された音声信号や操作信号を送信信号に変換して、デュープレクサ２０５に出力する。併せて、宛先電話番号等を外線履歴記憶部２０７に記録する。
【００２６】
外線履歴記憶部２０７は、ＲＡＭ等からなり、公衆の電話番号である固有番号の送受信の履歴を記憶している。
図６は、送信履歴情報の一例を示す図である。送信履歴情報６０１には、送信履歴情報４０１の項目とほぼ同様の項目について記載されている。ここで、固有番号６０３は、内線番号４０３と異なり事業者基地局１０８を中継局とする公衆の電話番号である。
【００２７】
また、位置情報については、「Ｂ」、「Ｃ」、「Ｄ」で示しているけれども、社外の位置を示しており、実際には経緯度で示されている。
受信部２０８は、デュープレクサ２０５から受信信号の入力を受け、受信信号を音声信号に変換して制御部２１１を介してスピーカ２１７に出力する。併せて、受信先の電話番号等を外線履歴記憶部２０７に受信履歴情報として記録する。なお、外線履歴記憶部２０７に記憶されている受信履歴情報は、受信履歴情報５０１と内線番号５０３が固有番号であることが異なるだけであるので、その記載を省略する。
【００２８】
制御部２１１は、携帯情報端末１０１の各部を制御する。
制御部２１１は、操作部２１５から電話帳の要求を受けると、無線ＬＡＮ送受信部２０２に管理サーバ１０５を宛先として、電話帳の送付の要求をするように指示する。無線ＬＡＮ送受信部２０２から電話帳の通知を受けると、電話帳記憶部２１２に通知された電話帳を記録する。
【００２９】
制御部２１１は、ＧＰＳ受信部２１０で受信された位置情報の通知を受け、内線履歴記憶部２０３又は外線履歴記憶部２０７に記憶されている送信履歴情報４０１又は６０１の位置情報４０５、６０５に通知された位置情報を記録する。
制御部２１１は、操作部２１５から通信履歴の削除指示をうけると、受け付けた通信履歴を削除する。例えば、送信履歴情報６０１の順番「５」の削除指示を受けると、この通信履歴を削除する。
【００３０】
制御部２１１は、操作部２１５から通信履歴情報の管理サーバ１０５への送信指示を受けると、又は制御部２１１で記憶している所定時刻を確認し、構内基地局１０６に又は管理サーバ１０５に内線履歴記憶部２０３及び外線履歴記憶部２０７から送信履歴情報４０１、６０１及び受信履歴情報５０１等を読み出し、無線ＬＡＮ送受信部２０２又は送信部２０６に内容を通知し、送信を指示する。
【００３１】
制御部２１１は、操作部２１５からボタン３０３の押下により、電話帳の表示指示を受けると、表示制御部２１３にその旨を通知する。
また、電話帳がＬＣＤ２１４に表示されており、５接点ボタン３０４の押下により、その選択を受けて、受信指示を受けると、ＧＰＳ受信部２１０から通知されている位置情報が社内を示す位置であるとき、無線ＬＡＮ送受信部２０２に内線番号を通知して発信指示をし、社外を示す位置であるとき、送信部２０６に固有番号を通知して発信指示をする。
【００３２】
なお、操作部２１５において、携帯情報端末１０１の所有者が「外線」ボタン「３０２」を押下したときは、外線、即ち固有番号を優先して、送信部２０６に送信指示をする。
また、制御部２１１は、マイク２１６からの音声信号を受けると、構内基地局１０６又は事業者基地局１０８に接続中の無線ＬＡＮ送受信部２０２又は送信部２０６に音声信号を通知する。
【００３３】
同様に、制御部２１１は、受信部２０８又は無線ＬＡＮ送受信部２０２から音声信号を通知されると、スピーカ２１７に出力する。
電話帳記憶部２１２には、管理サーバから送信されてきた電話帳を記憶している。
図７は、電話帳記憶部２１２に記憶されている電話帳の一例を示す図である。電話帳７０１には、電話番号として、公衆の電話番号である固有番号７０２と内線番号７０３とが各部署７０４の携帯情報端末の所有者の名前とともに記載されており、メールアドレス７０６も記載されている。
【００３４】
なお、この電話帳７０１では、電話帳を要求した時刻に対応して、過去にその時刻を含む所定時間内の通信履歴の多かった部署である技術部の固有情報である個人情報が記載されている。
表示制御部２１３は、制御部２１１を介して、操作部２１５から、例えばボタン３０３の押下により、電話帳の表示指示を受けると、電話帳記憶部２１２に記憶されている電話帳７０１を読み出し、ＬＣＤ２１４に表示する。
【００３５】
図８は、ＬＣＤ２１４に表示された電話帳の一例を示す図である。電話帳８０１には、部署と名前が記載されており、５接点ボタン３０４で宛先電話番号８０２（宛先個人名）を選択し、オフフックすると、宛先電話番号に接続される。この際、携帯情報端末１０１が社内を示す位置にあるときは、内線番号「１２１８」の通話となり、社外を示す位置にあるとき、又は「外線」ボタン３０２が押下されたときは、固有番号「０５０−１１１１−１１１７」の「安田」さんとの通話となる。
【００３６】
図９は、ＬＣＤ２１４に表示される電話帳の他の表示例を示す図である。電話帳８０１では、部署と名前だけを表示したが、電話帳９０１では、固有番号も示している。これは、電話帳の表示を指示した際の、携帯情報端末１０１が社外を示す位置にあるとき、制御部２１１からその旨を通知された表示制御部２１３が電話帳記憶部２１２に記憶された電話帳７０１から固有番号７０２も読み出して、表示するようにしている。
【００３７】
宛先電話番号９０２が選択され、オフフックされると、宛先電話番号「０５０−１１１１−１１２２」の「足立」さんに接続される。
なお、携帯情報端末１０１が社内を示す位置に在るときは、固有電話番号７０２に替えて、内線番号７０３を表示するようにしてもよい。
ＬＣＤ２１４は、表示制御部２１３の制御によって、電話帳７０１を表示する。
【００３８】
操作部２１５は、携帯情報端末１０１の所有者の操作を受け、操作内容を制御部２１１に通知する。
マイク２１６は、所有者の音声を集音し、音声信号に変換して制御部２１１を介して送信部２０６又は無線ＬＡＮ送受信部２０２に出力する。
スピーカ２１７は、受信部２０８又は無線ＬＡＮ送受信部２０２からの音声信号を制御部２１１を介して通知され、音声に変換して出力する。
【００３９】
次に、管理サーバ１０５について説明する。
図１０は、個人情報記憶部２２１に記憶されている固有情報である個人情報の一例である。個人情報１００１には、公衆での電話番号である固有番号１００２と内線番号１００３と部署１００４と名前１００５とメールアドレス１００６の各項目が記載されている。名前１００５で示される各社員の所属する部署１００４ごとに、社員が所有する携帯情報端末の電話番号と、メールアドレスとが記載されている。電話番号は、外線番号である固有番号１００２と構内基地局１０６を経由して通信される内線番号１００３とがある。
【００４０】
通信履歴記憶部２２２は、携帯情報端末ごとの送信履歴情報、受信履歴情報を記憶している。
図１１は、通信履歴記憶部２２２に記憶されている送信履歴情報の一例を示す図である。送信履歴情報１１０１には、携帯情報端末１０１の内線番号１１０２が記載され、送信履歴の順番１１０３と、電話番号１１０４と、部署１１０５と、名前１１０６と、日時１１０７と、位置情報１１０８との各項目が記載されている。この送信履歴情報１１０１の部署１１０５と名前１１０６と以外は、携帯情報端末１０１から構内基地局１０６を介して受信部２２３が受信し、通信履歴記憶部２２２に記録したものである。部署１１０５と名前１１０６とは、選択部２２４が個人情報記憶部２２１に記憶されている個人情報１００１の固有番号１００２又は内線番号１００３を検索して部署１００４と名前１００５とを抽出して記録したものである。
【００４１】
図１２は、通信履歴記憶部２２２に記憶されている受信履歴情報の一例を示す図である。受信履歴情報１２０１には、携帯情報端末１１０１の内線番号１２０２が記載され、受信履歴の順番１２０３と、内線番号１２０４と、部署１２０５と、名前１２０６と、日時１２０７との各項目が記載されている。なお、この受信履歴情報１２０１では、内線番号１２０４だけであるが、固有番号が記載されていてもよい。
【００４２】
なお、通信履歴記憶部２２２は、送信履歴情報１１０１と、受信履歴情報１２０１とをまとめた通信履歴情報を記憶していてもよい。
図１３は、通信履歴情報の一例を示す図である。通信履歴情報１３０１は、携帯情報端末１０１の内線番号１３０２と、通信相手の内線番号（電話番号）１３０３と、部署１３０４と、名前１３０５と、送信回数１３０６、受信回数１３０７と、その合計１３０８との各項目が記載されている。
【００４３】
受信部２２３は、構内基地局１０６を経由して、または管理サーバ１０５に外線から直接、携帯情報端末１１０１から電話帳の送信要求を受けると、選択部２２４に電話帳の送信指示をその要求元の内線番号とともに通知する。
選択部２２４は、電話帳の送信指示を受けると、通知された内線番号をもとに通信履歴記憶部に記憶されている当該携帯情報端末の送信履歴情報１１０１と受信履歴情報１２０１とを検索し、その送受信の多い部署を選択する。１２月２４日の９：００−１７：００では、技術部への送受信が一番多いので、個人情報記憶部２２１に記憶されている技術部の個人情報を選択して読み出し、電話帳として送信部２２５に通知する。
【００４４】
なお、本実施の形態では、送受信の一番多い部署の技術部だけを選択したが、多い順に数個の部署の個人情報を電話帳として選択してもよいし、又部単位でなく、課単位として個人情報を選択してもよい。
また、選択部２２４は、電話帳の送信指示を受けたのが。午前中である場合、当該携帯情報端末１０１の送信履歴情報１１０１，受信履歴情報１２０１の前日迄の午前中の履歴を検索して、その送信の多い部署を選択するようにしてもよい。即ち、電話帳の要求された時刻に対応した時間のその送受信の履歴によって、部署を選択するものである。
【００４５】
また、送受信の両方の履歴としたけれども、送信履歴情報１１０１だけを参照するようにしてもよい。
更に、電話帳の送信要求ともに位置情報の通知を受け、当該位置情報に示される位置で送信した回数の多い部署の個人情報を電話帳として送信するようにしてもよい。
送信部２２５は、要求元の携帯情報端末１１０１に電話帳を送信する。
【００４６】
次に、本実施の形態の動作について、図１４、図１５のフローチャートを用いて説明する。
図１４は、携帯情報端末１０１の動作を説明するフローチャートである。
制御部２１１は、携帯情報端末１０１の所有者の操作部２１５の電話帳の要求指示を受けて、無線ＬＡＮ送受信部２０２を介して構内基地局１０６を通じて管理サーバ１０５に固有情報を電話帳として送信を要求する（Ｓ１４０２）。制御部２１１は、電話帳の受信を待って（Ｓ１４０４）、電話帳記憶部２１２に電話帳を記憶させる（Ｓ１４０６）。
【００４７】
操作部２１５からの電話帳の表示指示を受けると（Ｓ１４０８）、表示制御部２１３は、電話帳記憶部２１２から電話帳を読み出し、ＬＣＤ２１４に電話帳を表示する（Ｓ１４１０）。
操作部２１５において、宛先電話番号が電話帳から選択されたか否かを判定する（Ｓ１４１２）。
【００４８】
選択されたときには、発信指示があれば、制御部２１１は、ＧＰＳ受信部２１０によって、位置情報が示す位置が社内であるか否かを判定し（Ｓ１４１４）、社内を示していれば内線番号であると判定し、無線ＬＡＮ送受信部２０２を介して内線番号で発信し（Ｓ１４１６）、電話終了を待って（Ｓ１４２０）、処理を終了する。位置情報が示す位置が社外であれば、公衆の電話番号で発信し（Ｓ１４１８）、Ｓ１４２０に移る。
【００４９】
宛先電話番号が電話帳から選択されないときには、宛先電話番号の入力をまち（Ｓ１４２２）、発信する（Ｓ１４２４）。ここで、送信履歴の保存を望まない場合は、送信履歴の消去指示があれば（Ｓ１４２６）、送信履歴を消去して（Ｓ１４２８）、Ｓ１４２０に移る。
次に、管理サーバ１０５の動作を図１５のフローチャートを用いて説明する。
【００５０】
構内基地局１０６は、電話帳の送信要求であるか否かを判定し（Ｓ１５０２）、なければ、通常の接続処理をして（Ｓ１５０４）、処理を終了する。
電話帳の送信要求のときには、選択部１０５は、要求元の送受信履歴情報１１０１、１２０１を検索して、部署ごとの送受信数を数える（Ｓ１５０６）。送受信数の最大の部署の個人情報を個人情報記憶部２２１から抽出する（Ｓ１５０８）。抽出した個人情報を電話帳として要求元の携帯情報端末１０１に送信し（Ｓ１５１０）、処理を終了する。
【００５１】
なお、上記実施の形態では、携帯情報端末１０１に「内線」ボタン３０１と「外線」ボタン３０２とを設けるようにしたけれども、内線、外線の切り替えは、ＧＰＳ受信部２１０によって受信部２１０で受信された位置情報で示される位置に基づいて切り替えるようにし、「内線」ボタン３０１と「外線」ボタン３０２とを省略するようにしてもよい。また、ＧＰＳの受信に替え、構内基地局１０６の基地局ＩＤの検出によって、構内であるか構外であるかを判定し、内線、外線を切り替えるようにしてもよい。
【００５２】
また、上記実施の形態では、送信履歴情報４０１、６０１や受信履歴情報５０１を携帯情報端末１０１から管理サーバ１０５に送信することとしたけれども、構外での送信履歴情報６０１と固有番号による受信履歴情報だけを管理サーバ１０５に送信するようにしてもよい。管理サーバは、構内基地局１０６を経由する通信履歴は、自身で履歴を記録するようにするとよい。
【００５３】
更に、管理サーバ１０５において、選択部２２４は、通信履歴記憶部２２２に記憶されている送受信履歴情報１１０１、１２０１を検索して送受信数を数えたけれども、送信履歴情報１１０１だけを数えることとしてもよい。
また、上記実施の形態では、携帯情報端末１０１における通話を主体として説明したけれども、メールの送受信に適用してもよく、この場合には、電話番号に替えて、メールアドレスが用いられる。
【００５４】
また、図２に本実施の形態の構成図を示したけれども、各構成要素の機能をコンピュータに発揮させるプログラムで実現するようにしてもよいのは勿論である。
【産業上の利用可能性】
【００５５】
本発明に係る携帯情報端末システムは、ビジネス用途の通信の宛先電話番号の選択を容易とする使い勝手のよいシステムとして通信分野で利用される。
【図面の簡単な説明】
【００５６】
【図１】本発明に係る携帯情報端末システムの一実施の形態の概略構成を示す図である。
【図２】上記実施の形態の構成図である。
【図３】上記実施の形態の携帯情報端末の外観を示す図である。
【図４】上記実施の形態の携帯情報端末の内線履歴記憶部に記憶された送信履歴情報の一例を示す図である。
【図５】上記実施の形態の携帯情報端末の内線履歴記憶部に記憶された受信履歴情報の一例を示す図である。
【図６】上記実施の携帯の携帯情報端末の外線履歴記憶部に記憶された送信履歴情報の一例を示す図である。
【図７】上記実施の形態の携帯情報端末の電話帳記憶部に記憶された電話帳の一例を示す図である。
【図８】上記実施の形態の携帯情報端末のＬＣＤに表示された電話帳の一例を示す図である。
【図９】上記実施の形態の携帯情報端末のＬＣＤに表示された電話帳の他の例を示す図である。
【図１０】上記実施の形態の管理サーバの個人情報記憶部に記憶されている所属部署ごとの個人情報の一例を示す図である。
【図１１】上記実施の形態の管理サーバの通信履歴記憶部に記憶された個人ごとの送信履歴情報の一例を示す図である。
【図１２】上記実施の形態の管理サーバの通信履歴記憶部に記憶された個人ごとの受信履歴情報の一例である。
【図１３】上記実施の形態の管理サーバの通信履歴記憶部に記憶された個人ごとの通信履歴情報の一例である。
【図１４】上記実施の形態の携帯情報端末の動作を説明するフローチャートである。
【図１５】上記実施の形態の構内基地局での動作を説明するフローチャートである。
【符号の説明】
【００５７】
１０１、１０２、１０３、１０４    携帯情報端末
１０５                            管理サーバ
１０６                            構内基地局
１０７                            事業者プロバイダ
１０８                            事業者基地局
２０１、２０４、２０９            アンテナ
２０２                            無線ＬＡＮ送受信部
２０３                            内線履歴記憶部
２０５                            デュープレクサ
２０６                            送信部
２０７                            外線履歴記憶部
２０８                            受信部
２１０                            ＧＰＳ受信部
２１１                            制御部
２１２                            電話帳記憶部
２１３                            表示制御部
２１４                            ＬＣＤ
２１５                            操作部
２１６                            マイク
２１７                            スピーカ
３０１                            内線ボタン
３０２                            外線ボタン
【図１】
2006254171.tif 000003
【図２】
2006254171.tif 000004
【図３】
2006254171.tif 000005
【図４】
2006254171.tif 000006
【図５】
2006254171.tif 000007
【図６】
2006254171.tif 000008
【図７】
2006254171.tif 000009
【図８】
2006254171.tif 000010
【図９】
2006254171.tif 000011
【図１０】
2006254171.tif 000012
【図１１】
2006254171.tif 000013
【図１２】
2006254171.tif 000014
【図１３】
2006254171.tif 000015
【図１４】
2006254171.tif 000016
【図１５】
2006254171.tif 000017